(57)【特許請求の範囲】
【請求項１】
表面側にブラシ毛を有する植毛体においてその裏面側から表面側に通風孔を貫設し、この植毛体の表面側には通風孔の表面側開口の外側で主熱伝導部を設けるばかりでなく、この植毛体には補助熱伝導部を通風孔の表面側開口に面して設けるとともに主熱伝導部に接続して、その主熱伝導部と補助熱伝導部との間で熱伝導可能にしたことを特徴とするヘアーブラシ。
【請求項２】
前記補助熱伝導部を通風孔の表面側開口の周縁間に架橋したことを特徴とする請求項１に記載のヘアーブラシ。
【請求項３】
前記補助熱伝導部を通風孔の内側に設けたことを特徴とする請求項１または請求項２に記載のヘアーブラシ。
【請求項４】
表面側にブラシ毛を有する植毛体においてその裏面側から表面側に通風孔を貫設し、この植毛体の表面側には通風孔の表面側開口の外側で主熱伝導部を設けるばかりでなく、その通風孔の内側に補助熱伝導部を設け、その補助熱伝導部を主熱伝導部に接続してそれらの熱伝導部間で熱伝導可能にしたことを特徴とするヘアーブラシ。
【請求項５】
前記主熱伝導部は植毛体の表面側で通風孔の表面側開口の周縁の全体を囲んでいることを特徴とする請求項１から請求項４のうちいずれか一つの請求項に記載のヘアーブラシ。
【発明の詳細な説明】
【技術分野】
【０００１】
本発明は、ブラシ毛を有する植毛体の表面側に通風孔の開口と熱伝導部とを設けたヘアーブラシに関するものである。
【背景技術】
【０００２】
下記特許文献１では、表面側にブラシ毛を有する植毛体においてその裏面側から表面側に通風孔が貫設され、この植毛体の表面側には通風孔の表面側開口の外側で熱伝導部が設けられている。ドライヤーの熱風の一部は植毛体の裏面側から通風孔を通って植毛体の表面側へ達して熱伝導部を加熱する。そのため、加熱された熱伝導部が頭髪に接触して整髪機能を高めることができる。
【特許文献１】特開２００７−２１１５８号公報
【発明の開示】
【発明が解決しようとする課題】
【０００３】
上記特許文献１では、熱伝導部が通風孔の表面側開口の外側に設けられているので、通風孔の表面側開口から吹き出す熱風域から熱伝導部が外れて熱風がその熱伝導部に対し直接当りにくくなり、熱伝導部が加熱されにくい。
【０００４】
この発明は、ヘアーブラシにおいて熱伝導部に対する加熱構造を改良し、整髪機能をより一層高めることを目的としている。
【課題を解決するための手段】
【０００５】
後記実施形態の図面（図１〜３）の符号を援用して本発明を説明する。
請求項１の発明にかかるヘアーブラシにおいては、表面側にブラシ毛１０を有する植毛体１でその裏面側から表面側に通風孔４を貫設し、この植毛体１の表面側には通風孔４の表面側開口９の外側で主熱伝導部８を設けるばかりでなく、この植毛体１には補助熱伝導部１２を通風孔４の表面側開口９に面して設けている。請求項１の発明では、ドライヤーの熱風の一部が植毛体１の裏面側から通風孔４を通って植毛体１の表面側へ達して主熱伝導部８を加熱するとともに、その熱風により補助熱伝導部１２も加熱される。そのため、主熱伝導部８が頭髪に接触して整髪機能を高めることができるばかりでなく、通風孔４を通る熱風が補助熱伝導部１２に直接当り易くなってその熱風による熱が補助熱伝導部１２に効率良く蓄積され、ドライヤーの熱風を有効利用して通風孔４付近の頭髪を温め、整髪機能をより一層高めることができる。
【０００６】
さらに、請求項１の発明にかかるヘアーブラシにおいては、前記補助熱伝導部１２を前記主熱伝導部８に接続してそれらの熱伝導部８，１２間で熱伝導可能にしている。従って、補助熱伝導部１２の熱が主熱伝導部８に伝わって主熱伝導部８による整髪機能をより一層高めることができる。
【０００７】
請求項１の発明を前提とする請求項２の発明においては、前記補助熱伝導部１２を通風孔４の表面側開口９の周縁間に架橋している。請求項２の発明では、補助熱伝導部１２が熱風を受け易くなるとともに頭髪に接触し易くなって整髪機能をより一層高めることができるばかりでなく、補助熱伝導部１２の強度を高めることができる。
【０００８】
請求項１または請求項２の発明を前提とする請求項３の発明においては、前記補助熱伝導部１２を通風孔４の内側に設けている。請求項３の発明では、通風孔４を通る熱風による熱が補助熱伝導部１２により一層効率良く蓄積される。
【０００９】
請求項４の発明にかかるヘアーブラシにおいては、表面側にブラシ毛１０を有する植毛体１でその裏面側から表面側に通風孔４を貫設し、この植毛体１の表面側には通風孔４の表面側開口９の外側で主熱伝導部８を設けるばかりでなく、その通風孔４の内側に補助熱伝導部１２を設け、その補助熱伝導部１２を主熱伝導部８に接続してそれらの熱伝導部８，１２間で熱伝導可能にしている。請求項４の発明では、ドライヤーの熱風の一部が植毛体１の裏面側から通風孔４を通って植毛体１の表面側へ達して主熱伝導部８を加熱するとともに、その熱風により補助熱伝導部１２も加熱される。そのため、主熱伝導部８が頭髪に接触して整髪機能を高めることができるばかりでなく、通風孔４を通る熱風が補助熱伝導部１２に直接当り易くなってその熱風による熱が補助熱伝導部１２に効率良く蓄積されるとともに、補助熱伝導部１２の熱が主熱伝導部８に伝わって主熱伝導部８による整髪機能をより一層高めることができる。
請求項１から請求項４のうちいずれか一つの請求項の発明を前提とする請求項５の発明において、前記主熱伝導部８は植毛体１の表面側で通風孔４の表面側開口９の周縁の全体を囲んでいる。請求項５の発明では、ドライヤーの熱風により主熱伝導部８を加熱し易い。
【００１０】
次に、請求項以外の技術的思想について実施形態の図面の符号を援用して説明する。
【００１１】
請求項１から請求項５のうちいずれか一つの請求項の発明を前提とする第６の発明において、ブラシ毛１０は、前記主熱伝導部８に設けた透孔１１を通して植毛体１の表面側に設けられている。第６の発明では、主熱伝導部８の面積を大きくして主熱伝導部８による整髪機能をより一層高めることができる。なお、植毛体１の表面側に主熱伝導部８を設けた後に、その透孔１１から植毛体１の表面側にブラシ毛１０を植込むことができる。
【００１２】
請求項１から請求項５のうちいずれか一つの請求項の発明、または第６の発明を前提とする第７の発明において、植毛体１の裏面側に凹所３を設け、その凹所３の底面６側から植毛体１の表面側に通風孔４を貫設している。第７の発明では、植毛体１を軽量化するばかりでなく、ドライヤーの熱風を凹所３に効率よく集めて通風孔４に送り込むことができる。
【００１３】
請求項１から請求項５のうちいずれか一つの請求項の発明、または第６の発明または第７の発明を前提とする第８の発明において、前記通風孔４は複数設けられている。第８の発明では、植毛体１の強度を維持することができる。
【００１４】
請求項１から請求項５のうちいずれか一つの請求項の発明、または第６の発明または第７の発明または第８の発明を前提とする第９の発明において、一つの通風孔４の内側には複数の補助熱伝導部１２を設けている。第９の発明では、通風孔４における通風性を維持しつつ補助熱伝導部１２の面積を大きくして補助熱伝導部１２による整髪機能をより一層高めることができる。
【００１５】
請求項１から請求項５のうちいずれか一つの請求項の発明、または第６の発明または第７の発明または第８の発明または第９の発明を前提とする第１０の発明において、前記補助熱伝導部１２を植毛体１の表面側で通風孔４の表面側開口９に設け、その補助熱伝導部１２の面積は、その通風孔４の表面側開口９の面積の５〜３０％を占める。第１０の発明では、通風孔４における通風性を維持しつつ補助熱伝導部１２の面積を大きくして補助熱伝導部１２による整髪機能をより一層高めることができる。
【発明の効果】
【００１６】
本発明は、ヘアーブラシにおいて、主熱伝導部８に加え、補助熱伝導部１２を設けたので、熱伝導部８，１２による整髪機能をより一層高めることができる。
【発明を実施するための最良の形態】
【００１７】
以下、本発明の一実施形態に係るヘアーブラシについて図１〜３を参照して説明する。
プラスチックによりホルダ２と一体成形された植毛体１において、その裏面側には周壁３ａにより囲まれた凹所３が設けられ、植毛体１の幅方向Ｙへ延びる複数の通路孔５が通風孔４の一部として植毛体１の長手方向Ｘへ並設されて凹所３の底面６側から植毛体１の表面側に貫設されている。この植毛体１の表面側には各通路孔５の開口７の外側（通風孔４の外側で且つ通路孔５の開口７の表面側域Ｓの外側）で金属板製の主熱伝導部８が重ねられて幅方向Ｙの両側の掛止め部８ａで取着されている。この主熱伝導部８には、各通路孔５の表面側開口７の周縁の全体を囲む開口９が通風孔４の一部として形成されているとともに、植毛体１の表面側に植込まれた各ブラシ毛１０を通す各透孔１１が形成されている。通風孔４の表面側開口９については、幅方向Ｙへ延びる長手方向Ｘの両端縁部が植毛体１の裏面側から表面側へ膨らむように湾曲しているとともにホルダ２側から植毛体１の先端部側へ膨らむように湾曲している。
【００１８】
前記主熱伝導部８の開口９の周縁間には主熱伝導部８と一体成形された金属板製の各補助熱伝導部１２が植毛体１の長手方向Ｘへ架橋されるとともに幅方向Ｙへ互いに間隔をあけて並設されてその開口９に面するようにその開口９の内側（通風孔４の内側で且つ通路孔５の開口７の表面側域Ｓの内側）へ突出し、その主熱伝導部８と各補助熱伝導部１２とが互いに接続されてそれらの熱伝導部８，１２間で熱伝導可能になっている。この各補助熱伝導部１２と各ブラシ毛１０の一部とは長手方向Ｘで互いに並んでいる。この植毛体１の表面側で通風孔４の表面側開口９の面積は、２０〜３０００平方ミリメートルにすることが好ましく、その表面側開口９に設けられた補助熱伝導部１２の面積は、その表面側開口９の面積の約２０％を占めているが、５〜３０％を占めることが好ましい。
【００１９】
なお、植毛体１とホルダ２とを含むヘアーブラシについては、長手方向Ｘの全長が約２４０ｍｍ、植毛体１の幅方向Ｙの寸法が約４５ｍｍ、通風孔４の表面側開口９で長手方向Ｘの寸法が約４ｍｍ、通風孔４の表面側開口９で幅方向Ｙの寸法が約３２ｍｍ、主熱伝導部８及び補助熱伝導部１２の厚さが約０．５ｍｍにそれぞれ設定されている。
【００２０】
本実施形態は下記の効果を有する。
＊  ドライヤーの熱風のうち通風孔４を通る熱風は、その表面側開口９から吹き出して主熱伝導部８を加熱するばかりでなく、通風孔４の内側（前記主熱伝導部８の開口９と前記通路孔５とからなる通風孔４を形取る内空間）で補助熱伝導部１２も加熱するので、加熱された主熱伝導部８が頭髪に接触して整髪機能を高めることができるばかりでなく、通風孔４を通る熱風が補助熱伝導部１２に直接当り易くなってその熱風による熱が補助熱伝導部１２に効率良く蓄積され、通風孔４付近の頭髪を温めて整髪機能をより一層高めることができる。
【００２１】
＊  補助熱伝導部１２に効率良く蓄積された熱は、主熱伝導部８に伝わって主熱伝導部８を早く且つ均一に温め、主熱伝導部８による整髪機能をより一層高めることができる。
前記実施形態以外にも例えば下記のように構成してもよい。
【００２２】
・  補助熱伝導部１２を主熱伝導部８の開口９に設けることなくその開口９から外側へ湾曲させることによりその開口９に面するようにその開口９側へ突出させて通風孔４を形取る内空間の外側で且つ前記表面側域Ｓの内側に設けてもよい。
【００２３】
・  補助熱伝導部１２を主熱伝導部８の開口９に設けることなくその開口９から通路孔５の開口７側へ湾曲させることによりその開口９に面するようにその開口９側へ突出させて通風孔４の内側に設けてもよい。
【００２４】
・  通風孔４において、補助熱伝導部１２を主熱伝導部８の開口９でなく植毛体１の通路孔５の内周に設けてもよい。また、その補助熱伝導部１２に接続した連繋部を主熱伝導部８に接続してもよい。
【００２５】
・  通風孔４において、主熱伝導部８の開口９で複数の補助熱伝導部１２を両持ち梁状に架橋して突出させることなく片持ち梁状に突出させてもよい。
・  植毛体１の凹所３を省略してもよい。
【００２６】
・  通風孔４の内縁形状を長孔以外に変更してもよい。
・  通風孔４を幅方向Ｙで複数に分けて長手方向Ｘへ並設してもよい。
・  主熱伝導部８と補助熱伝導部１２とを一体でなく別体で設けてもよい。また、主熱伝導部８及び補助熱伝導部１２をそれぞれ複数に分けて設けてもよい。
【００２７】
・  主熱伝導部８の両掛止め部８ａを着脱可能にして主熱伝導部８及び補助熱伝導部１２を植毛体１に対し交換可能にしてもよい。そのため、材質や色や形や熱伝導率やコーティングの種類などの特性の差異に応じて使い分けることができる。その着脱の際、ブラシ毛１０に付いた髪を主熱伝導部８及び補助熱伝導部１２により取り除くことができる。
【００２８】
・  主熱伝導部８及び補助熱伝導部１２の材質としては、アルミや銅が好ましいが、ステンレスや鉄などの他の材質を用いてもよい。また、金属以外でもよい。ただし、熱伝導率の値が大きいものが好ましい。
【００２９】
・  主熱伝導部８及び補助熱伝導部１２の表面をセラミックコートして保温性を高めてもよい。このセラミックコート以外に、銀や銅をコーティングして殺菌作用を付与してもよい。また、酸化チタンコーティングを施して光触媒作用を付与してもよい。さらに、ふっ素樹脂コーティングを施して汚れを落ち易くしてもよい。それらのコーティングについては、主熱伝導部８及び補助熱伝導部１２の表面と裏面とに施してもよいが、少なくとも表面に施して裏面には施さなくてもよい。
【００３０】
・  主熱伝導部８及び補助熱伝導部１２の表面を感温塗装し、主熱伝導部８及び補助熱伝導部１２の温度変化に応じてそれらの表面の色が変化し、使用者に主熱伝導部８及び補助熱伝導部１２のおおよその温度が分かるようにしてもよい。
【００３１】
・  植毛体１の全体をアルミなどで形成し、それに通風孔４や主熱伝導部８及び補助熱伝導部１２を設けてもよい。
【図面の簡単な説明】
【００３２】
【図１】（ａ）は本実施形態にかかるヘアーブラシの表面側を示す斜視図であり、（ｂ）は同じく部分平面図である。
【図２】（ａ）は本実施形態にかかるヘアーブラシの裏面側を示す斜視図であり、（ｂ）は同じく部分底面図である。
【図３】（ａ）は上記ヘアーブラシの植毛体を幅方向で切断した部分断面図であり、（ｂ）は同じく長手方向で切断した部分断面図である。
【符号の説明】
【００３３】
１…植毛体、４…通風孔、８…主熱伝導部、９…主熱伝導部の開口（通風孔の表面側開口）、１０…ブラシ毛、１２…補助熱伝導部。
【図１】
0005291949.tif 000002
【図２】
0005291949.tif 000003
【図３】
0005291949.tif 000004